(57)【要約】      （修正有）【課題】集団から癌に罹患していない者を選別して年間損害率を低下させる保険システムを提供する。【解決手段】集団から癌に罹患していない者を選別し、早期発見早期治療の機会を提供し、罹患していない検診者が保険に加入することにより、癌罹患時の治療費負担の軽減を可能にする。生物検体と線虫を使用し健康検査をおこない、適切な癌リスクと余病リスクを評価し、その癌リスク評価と余病リスクを活用した早期発見早期治療の年齢別がん保険システム等を提供し、保険加入若年層の癌罹患時の治療に対して経済的負担を軽減する。【選択図】図１
2020095654.tif 000002
【特許請求の範囲】
【請求項１】
集団の被験者の検体の中から検査用三角シャーレ（多角形）の三辺に三種類の記号番号を配置しその記号番号を検索標的にして個人を特定し、そして、線虫を使用して忌回避行動の観察をおこない検査を年複数回おこない  癌に罹患していない被験者を判定し保険の年間保険損害率の低下をおこなうことを特徴とする保険システム。
【請求項２】
ＱＲ（Ｑｕｉｃｋ  Ｒｅｓｐｏｎｓｅ）コード（株式会社デンソーウェーブの登録商標です。）Ａ、Ｂ、Ｃ、Ｄの４個とＲＦＩＤ（ｒａｄｉｏ  ｆｒｅｑｕｅｎｃｙ  ｉｄｅｎｔｉｆｉｅｒ）タグ１、２  の２個とシャーレシリアル番号（ｓｅｒｉａｌ  ｎｕｍｂｅｒ）の三種類の記号番号を使用し検体と被験者の特定と検査ごとの情報に振り分ける請求項１に記載の方法。
【請求項３】
被験者の検診検査申込書（甲）には、印字されたＱＲコード（Ａ）が有り前記紙面には、ＱＲコード（Ｂ）と（Ｃ）と（Ｄ）とＲＦＩＤタグ（１）と前記タグ（２）が貼り付け剥し可能な状態で、前記紙面に付設された用紙を使用する請求項１に記載の方法。
【請求項４】
前記申込書（甲）の中に前記ＱＲコードがあり（Ａ）は検査申込用紙（甲）に印字されており前記（Ｂ）は、提出生物検体容器（採尿容器）０１１に貼り付けて前記（Ｃ）は、シャーレ蓋０２２２０に貼り付けて前記（Ｄ）は、余病検査検体容器０２２１に貼り付けることを特徴とする請求項１に記載の方法。
【請求項５】
前記検診申込用紙（甲）には、他にＲＦＩＤタグ（１）と（２）が付設されＲＦＩＤタグ（１）は、提供される被験者の生物検体０１０２の提出採尿容器０１１に貼り付けた前記タグ（１）とＱＲコード（Ｂ）と個人情報前記申込用紙（甲）との一致を受付の時に確認特定し前記申込用紙（甲）をスキャンニングしてフォルダー化して保存する方法。
【請求項６】
前記用紙に明記されている保険の契約内容は、１年契約で年複数回の検診を受け６段階の年齢別年間保険掛け金と保険配当金の契約を被験とおこなう保険方法。
【請求項７】
前記保険の終了条件は、不可判定０３５２については、当日に再検査を行い可判定０３５１が出れば、継続契約となり不可判定０３５２が再度出た場合は、線虫を使わない検査方法で検査して、問題なければ、継続とし癌が発見されれば、保険契約を終了し保険配当金の支払手続きに移行し病院等の紹介や案内をおこなう。また赤判定０３５３の場合、直ちに要精密検査（線虫に依らない検査方法）の手続き行い癌の発見に至った場合は、保険の終了と支払いの手続きへと移行する。精密検査の結果  癌の発見に至らず問題ない場合は、保険の終了とせずに継続と再検査再契約をおこなう請求項１に記載の方法。
【請求項８】
終了条件の中に不誠実な前記個人情報の記入と代理検診検査等の不正に係る行為を発見した場合は、保険検査会社は、被験者との契約を終了することを明記する保険システム。
【請求項９】
前記シャーレの中に被験者の検体０１０２の一部を１０倍に希釈した検体０２２２を滴下し前記画像記録０２２２１０から検査Ｃ．Ｐ．Ｕ  ０２０をネットワーク  Ｙ  を経由して保険Ｃ．Ｐ．Ｕ  ０３０から分析サーバ０３１に送り前記画像分析０３１１を行い判定モデルサーバ０３２の画像判定モデル０３２１と照らし合わせ審判サーバ０３４に送り画像判定０３４２と専門家判定０３４３の意見判定を加味しながらリスク情報の関係性を示す過去情報サーバ内過去判定情報０３３２と総合的に比較する事で被験者の保険加入の可否をおこなうことを特徴とする請求項１に記載の方法。
【請求項１０】
前記生体物質検体０１１は、被験者の尿であり、前記被験者０１に関する情報は、前記尿に対するシャーレ内の線虫全体の忌回避行動を数値化にして判定する請求項１に記載の方法。
【請求項１１】
前記被験者に関する情報は、尿で検査できる癌病と余病に対する情報であることを特徴とする請求項１に記載の保険システム。
【請求項１２】
前記被験者に関する情報は、前記癌病と余病ごとに対する情報であり、検査Ｃ．Ｐ．Ｕと保険Ｃ．Ｐ．Ｕが、検査結果で癌に対して正常忌回避値（９０％以上）の判定の情報を分析する判定機能を保持保存することを特徴とする請求項１に記載の方法。
【請求項１３】
前記保険Ｃ．Ｐ．Ｕ  ０３０と各サーバは、分析算出した前記保険のリスクに応じて、忌回避行動検体シャーレを有する被験者の抽出をおこない年間複数回定期検査を行う通知をすることを特徴とする請求項１に記載の保険システム。
【請求項１４】
検査で使用されるシャーレシリアル番号０２１２１１とＱＲコード（Ａ）（Ｂ）（Ｃ）（Ｄ）と  ＲＦＩＤタグ（１）（２）とＱＲコード（Ａ）のスキャニング自動フォルダー作成０１０１１などを含む多くの情報番号と前記検査対象となっている検体０１０２が前記被験者本人０１のものであるか否かを判定することを特徴とする請求項１に記載の保険システム。
【請求項１５】
前記検査は、前記検査サーバ０２２によって生成された前記検体０１０２に関する情報を検査Ｃ．Ｐ．Ｕ  ０２０に送信しネットワーク  Ｙ  を通じて保険Ｃ．Ｐ．Ｕ  ０３０内各サーバに送信し判定を行い通知サーバ０３６と契約情報サーバに送信することを特徴とする請求項１に記載の保険システム。
【請求項１６】
前記判定モデルサーバ０３２は、前記分析サーバ０３１で出された忌回避率と忌回避画像分析０３１１をモデル判定サーバ０３２に送りモデル比較を行うことを特徴とする請求項１に記載の保険システム。
【請求項１７】
判定モデルサーバ０３２で出された画像判定モデル情報を審判サーバ０３４に送り専門家と共に判定モデルの比較により判定の決定を行うことを特徴とする請求項１に記載の保険システム。
【請求項１８】
９０％以上の忌回避率を判定の基準にする。９０％以上は、可  判定であり９０％以下を不可・赤  判定になる。判定結果を契約情報サーバ０３７に送信して新規契約・契約継続・契約待機・契約終了を判定を記録し次の通知作業に移ることを特徴とする請求項１に記載の保険システム。
【請求項１９】
通知サーバ０３６に送られた契約情報０３７を基に受付０２０１受理時に送られて通知サーバに収納されている通知先情報を基に各々の希望通知先に判定結果を送信送付することを特徴とする請求項１に記載の保険システム。
【発明の詳細な説明】
【技術分野】
【０００１】本発明は、癌に罹っていないことを判定し健康を保障する保険システム。集団検診の検体の中から癌に罹患していない検体シャーレを選別し保険加入資格者を増やす保険システムの技術に関する。
【背景技術】
【０００２】被験者から提供された検体（生物物質）と被験者の個人情報とがん罹患率年齢と健康に関する判定結果を基に保険を設定することが行われている。【０００３】特許文献１には「ホームドクターセンタ−の加入者が体調モニタリングデバイスを装着して測定データをパーソナルコンピュータ−経由でデータを送信される。体調データの解析と加入者から提供された血液検体の自動検査システムにより検査する。前記センタ−は、医療機関と保険機構と連携して、加入者の病気の早期発見が可能となり、保険機構は、初期診断結果を参照して加入者の支払うべき保険料を算定することによって、保険料の低減が可能とされる。」（要約参照）【０００４】特許文献２には、線虫を、被検者由来の生体関連物質又はその処理物の存在下で飼育し、線虫の嗅覚による化学走性を指標として癌を検出することを特徴とする癌の検出方法。（要約参照）【０００５】特許文献３には、線虫の嗅覚に基づく匂い物質に対する走性行動の評価方法、および該評価方法に用いるシャーレを提供する。（要約参照）
また、特許文献３には、上記検査方法を実施する際に用いられる線虫の誘引行動と使用シャーレに関する特許と詳細な線虫の走行性が記載されている。【０００６】特許文献４には、生体情報によるがん検査を利用することで、損害率を改善することを特徴とする。（要約参照）【０００７】意匠文献１には、本物品は、皿部と蓋部を備えたシャーレである。本物品は、線虫などの生物と尿を用いて、癌などの病気を発見するための検査に用いられる。皿部の中央には円形の窪みがあり、尿が溜まるようになっている。蓋部には中央に孔が設けられており、皿部の中央の窪みに尿が落下するようになっている。また、蓋部には孔に向かって傾斜がつけられているため、尿が自然と孔に集まるようになっている。本物品に入れられた生物を観察する際は、本物品の正面、背面又は側面の何れか側から照明をあてる。本物品は透明なため、照明をあてると本物品内の生物に陰影ができ、使用者は本物品内の生物を観察しやすくなる。（使用説明）【０００８】意匠文献２・意匠文献３・意匠文献４・意匠文献５の説明は、意匠文献１と同様の使用説明である。
最近は、早期発見早期治療の推奨で線虫による診断で癌判定を行う研究が盛んに進められている。【０００９】線虫の単純特性と飼育と増殖に関する文献は、［非特許文献１］に記載されている。【００１０】非特許文献２と３は、国立がん研究センター統計予測で表される、人口の中の癌の罹患率を見ると若年層の罹患率は低く中年より高齢者に罹患患者は多く予測されている。【００１１】癌に罹患するリスク及び罹患年齢平均値などの資料は、［非特許文献２］［非特許文献３］に記載されている。【００１２】産業上の利用可能性に関しては、［非特許文献４］に記載の統計資料を基に作成
【先行技術文献】
【特許文献１】特開２００１−２４９９９６号  公報
【特許文献２】再表第２０１５／０８８０３９号  公報
【特許文献３】特許第６１６４６２２号  公報
【特許文献４】特開第２０１７−１３４４７４号  公報
【非特許文献】
【非特許文献１】啓林館  出版  授業実践記録（生物）  線虫の教材化  法政大学女子高等学校  鈴木  恵  教諭著
【非特許文献２】がん統計‘１４  公益財団がん研究振興財  図表編（１９）年齢別がん罹患率推移（１９８０、２０１０年）
【非特許文献３】がんの統計‘１６  年齢階級別がん罹患率推移（１９８０年、２０１２年）
【非特許文献４】総務省統計局  世界の人口ピラミッド（年齢階級別割合  ２０１５）
【意匠文献１】
意匠登録第１６０００４５号  公報
【意匠文献２】
意匠登録第１６１５２１４号  公報
【意匠文献３】
意匠登録第１６１５２１３号  公報
【意匠文献４】
意匠登録第１６１５２１２号  公報
【意匠文献５】
意匠登録第１６１５２１１号  公報
【発明の概要】
【発明が解決しようとする課題】
【００１３】早期発見早期治療の癌治療をめざし治療費の軽減を行う保険システムを提供する
【課題を解決するための手段】
【００１４】線虫という生物の嗅覚反応行動は、生物検体（尿）から忌回避行動と誘引行動と融和行動の三態をとることが、知られている。このことを観察することで癌の有無を判定することが出来る。【００１５】尿の原液に対しての線虫の行動は、忌避行動をとることが知られ、また、尿中の揮発物質に対してノイズとしての行動をとることも良く知られている。【００１６】尿原液を１０倍に薄めた検体（尿）に対して線虫は、三態行動をとることは特許文献２で知られている。
緩衝液で１０倍に希釈した検体を滴下した後の線虫の行動が忌回避行動をとる検体の被験者は、癌ではないことになる。また融和行動と誘引行動をとる検体は、癌に罹患した疑いが持たれる。この相反行動をとる線虫の特性を利用することを特徴とする方法。【００１７】１０倍に希釈した尿検体に対して、融和行動と誘引行動を除外した忌回避行動のデータの分析判定に信頼性をおくことが出来て  可  判定の判定精度限度を９０％に精度を上げることで保険損害額を減少させることが出来る。
【発明の効果】
【００１８】本発明によれば集団から癌に罹患していない者を選別し早期発見早期治療の機会を提供し罹患していない検診者が、保険に加入することにより癌罹患時の治療費負担の軽減を可能にすることを提供する保険システム。【００１９】生物検体と線虫を使用し健康検査をおこない、適切な癌リスクと余病リスクを評価し、その癌リスク評価と余病リスクを活用した早期発見早期治療の年齢別がん保険システム等を提供し保険加入若年層の癌罹患時の治療に対して経済的負担を軽減することができる【００２０】癌に罹患する確率から人口の年齢区分を６段階に分類して集中的に弱者に多くの保険配当金分配をおこなうことが出来る。そして、多くの保険加入者で２０歳未満の若年罹患者層のがん治療の経済的負担を減少させる環境を作ることを提供できる。【００２１】保険システムを維持する方法として集団検診があり簡易・高精度・短時間に多くの保険参加資格者の診断をおこなうことが出来る方法である。
学校・自衛隊などの公共団体や大規模事業体や原発事故従事者・原発事故地域住民など癌罹患の不安を抱える地域に集団検診で年複数回の検査早期発見早期治療という具体的な方法で社会に貢献できる。【００２２】早期発見早期治療により癌による死因を現在より減少させることができる。【００２３】共済組合に似た形式の保険システムを構築し集団の中から特定の病気に罹患していない者を抽出するシステムを提供することができる。【００２４】癌罹患率統計と医療先進国である日本の統計数値を指標に保険対象者としての各国での年齢人口分布で判る事業採算は、人口に対しての罹患率という形で試算する。世界各国の医療制度の経費の軽減をおこなうことが出来る。【００２５】保険というリスクを背負うシステムでは、線虫と三角（多角形）シャーレを使い９０％の確率で癌に罹患していない検体シャーレの被験者を抽出する保険契約が必要です。【００２６】保険契約者と健康との関連性は、年間の定期的な検査結果を通して、三大疾患「がん（悪性新生物）」「急性心筋梗塞」「脳卒中」の一つの癌に罹患していないことを証明し、残りの二大疾患リスクより健康の優位を示せることにより可能性が広がる。【００２７】検査費用が低額なこと（約９００円／回）と保障配当金が高額という条件で啓蒙・知識の普及は容易であり。経済格差の状況下にある海外発展途上国への啓蒙、普及は、特に重要なことである。【００２８】癌早期発見早期治療の場合は、世界的に日本の医療・治療技術は、多岐に渡り高度医療技術を保持していて、完治の可能性は、高い、世界に対しての日本の医療貢献度は大きく色々の場所で影響力を持つことになる。【００２９】この保険システムでは、各国の医療健康保険制度を使用しない。【００３０】前記保険システムを実施する場合は、日本国内に止まらず発展途上国の医療制度に良い影響を与えることが考えられる。【００３１】潜在的な世界人口と保険リスク評価の試算を各国人口ピラミッド（総務省統計）と癌罹患年代別統計数（国立がん研究センタ−がん対策情報センタ−）で試算した。（図２４−１）（図２４−２  ）（図２４−３）【００３２】前記統計と試算は、未成年者を保護し未成年者が、学校に集まるという教育システムを利用しそして、集団検診と健康に関する啓蒙普及に強く貢献することで達成できる。
【図面の簡単な説明】
【００３３】
【図１】本実施形態に係るシステム全体の構成例を示す図である。
【図２】本実施形態に係る検査Ｃ．Ｐ．Ｕと情報Ｃ．Ｐ．Ｕと保険会社Ｃ．Ｐ．Ｕその周辺装置との構成例を示すブロックである、
【図３】本実施形態に係る検診検査申し込み用紙  甲  の図である。
【図４】本実施形態に係る受付から検査サーバ・情報サーバへの流れを示す図である。
【図５】本実施形態に係る検査サーバ内の流れを示す図である。
【図６】本実施形態に係る情報サーバ内の流れを示す図である。
【図７】本実施形態に係る受付から検査・情報サーバ各Ｃ．Ｐ．Ｕを経由して通知・契約情報サーバへのブロック図である。
【図８】本実施形態に係る申込用紙  甲  の個人情報のシステム内での流れを示す図である。
【図９−１】本実施形態に係る用紙スキャンニング・フォルダー作成の流れを示す図である。
【図９−２】本実施形態に係るフォルダータイトルの作成
【図１０】本実施形態に係る検体（尿）に関する流れを示す図である。
【図１１】本実施形態に係る検体分尿・保存検体の流れを示す図である。
【図１２】本実施形態に係る癌と判定・審判部の流れを示す図である。
【図１３】本実施形態に係る保険・契約情報の流れを示す図である。
【図１４】忌避反評価モデル  ３種の判定モデル  平面と断面図３図面
【図１５】可  判定の忌回避行動を（６図）忌回避位置
【図１６−１】不可  判定に融和行動を（６図）融和行動
【図１６−２】不可  判定の融和行動を（６図）融和行動
【図１６−３】不可  判定の融和行動を（６図）融和行動
【図１７】赤  判定の誘引行動を（６図）誘引行動
【図１８】癌リスク評価モデルを示す図Ｘ軸（縦軸）三角中央からの距離、Ｙ軸（横軸）時間である。
【図１９】尿検査で  可  判定された際の通知サーバまでの処理の流れを示す図である。
【図２０】癌に罹患している可能性のある検査の結果、不可・赤  癌検査判定された際の通知サーバまでの流れである。
【図２１】本実施形態に係る年齢別年間検査回数の流れと年複数回再検査実施を説明するための図である。
【図２２】本実施形態に係るパソコンのシステム内アクセス方法  そして、被験者氏名と社員番号と管理責任者の番号でアクセスが可能であるその図を示す。また外部からのアクセスは、基本的には保険検査会社の外部窓口にアクセス。
【図２３】本実施形態に係る判定結果をパソコン画面の表示場所を点線で示す図。
【図２４−１】統計年間罹患率  １０万人中の罹患率
【図２４−２】統計比較表  日本と中国
【図２４−３】統計比較表  アメリカとインド
【発明を実施するための形態】
【００３４】次に、本発明を実施するための形態（「実施形態」という）について、適宜図面を参照しながら詳細に説明する。なお、書く図面の説明において、同一の構成に付いては同一の符号を適宜付与することとする。
【システム構成】
【００３５】図１と図２  本実施形態に係る保険システムの構成例を示す図である。
本実施形態に係る保険システムＷは、検査受付、検査サーバ、情報サーバ、検査Ｃ．Ｐ．Ｕ、ネットワーク  Ｙ  を介して保険Ｃ．Ｐ．Ｕ、分析サーバ、モデル判定サーバ、過去情報サーバ、審判サーバ、判定サーバ、通知情報サーバ、通知サーバに互いに接続している。
また、保険検査会社を介して検査Ｃ．Ｐ．Ｕと保険Ｃ．Ｐ．Ｕは、接続している。
【００３６】検査サーバと情報サーバは、検査Ｃ．Ｐ．Ｕを介して接続している。検査サーバ内で分析・記録された情報は、ネットワークＹ  を介して保険サーバと接続して情報をやりとりしている。
【００３７】保険サーバは、ネットワーク  Ｙ  を介して検査サーバと接続し分析サーバ、判定モデルサーバ、過去情報サーバ、審判サーバ、判定サーバ、契約情報サーバ、通知サーバに接続されている。
【００３８】保険検査会社ＺのＣ．Ｐ．Ｕは、検査Ｃ．Ｐ．Ｕと保険Ｃ．Ｐ．Ｕと接続している。
【００３９】図３  検診検査申込用  申込用紙（甲）と呼ぶ。
（甲）は、検診前に各事業所より提出された検診希望者の居所に送付される。被験者は、前記申込用紙（甲）の必要記入事項を埋めて、検査当日に検体容器に生物検体（尿）を採取してＱＲコード（Ｂ）を貼付提出するように申込用紙に準備されている。
【００４０】検診検査希望の家族の検体提出も前記書類の必要事項を記入後代理で事業所勤務の被験者が、持参すれば検査可能である。
【００４１】図  ３  ＱＲコード
用紙（甲）  には、ＱＲコード（Ａ）が印字してあり他にＱＲコード（Ｂ）（Ｃ）（Ｄ）が、貼付けてある。これら（Ｂ）（Ｃ）（Ｄ）のＱＲコードは、（Ｂ）は、採尿器に貼り、（Ｃ）は、検査シャーレに貼り、（Ｄ）は、余病検査容器に貼る。
【００４２】図３
用紙（甲）には、ＲＦＩＤタグ（１）（２）が貼りつけてある。これらＲＦＩＤタグ（１）は、それらの位置情報を探索時に使用し  また  環境情報とシャーレ情報と線虫情報を前記タグ（２）に入力し入力後の情報は、過去情報サーバ内の過去画像検査記録情報に当日検診者同一の情報として全被験者情報に接続される。
【００４３】図３  ＲＦＩＤタグ
ＲＦＩＤタグ（１）は、採尿容器に貼付再検査時に保管場所にある検体容器を探索するときに活用する。
ＲＦＩＤタグ（２）は、検査シャーレに貼り付ける前記タグ（２）には、事前に準備できる環境情報や線虫情報やシャーレシリアル番号より取得出来る情報をコピーして入力する。
【００４４】家族の参加
持参された家族の個人番号の書類（甲）記入は、必要である。家族の情報が、足りない時には、一時的に代表者のフォルダーに格納し不足情報を代表者に通知し事後に家族情報を埋めるが、判定の通知は、必要情報が得られるまで、保留となる。その他の補足的な通知情報は、代表者通知になる。
【００４５】代表被験者が家族の検査検体容器を持参した場合は、用紙（甲）に自身の情報内容と同様に代理での記入が可能であり、検査も可能であるが、検体容器にＱＲコードを貼り付けるまでは、代表被験者の責任である。
【００４６】  図３  家族への通知方法
用紙（甲）には、個人情報として、氏名と個人番号  或いは、社員番号（或いは、所定の身分証明書）と住所と本人への通知方法や電子アドレスを記入するが、家族情報が、不足の場合は、代理人（代表提出者）の判定通知先に不足情報の要求を追加通知する。また  判定が出されて代表者から不足の家族情報が得られなければ、判定の通知は、保留状態となる。
【００４７】図４  検査サーバ・情報サーバへの流れを示す図
提出された検体（尿）と申込用紙（甲）は、受付受理後検体は、再検査用保管と検査用に分けられ検査用は、再び余病検査と画像撮影に再び分尿されてデータ情報を発生させ検査Ｃ．Ｐ．Ｕに接続される。
同じく提出された申込用紙（甲）は、読取装置で個人情報（個人番号と社員番号と通知先電話番号と郵便番号）を読み取りフォルダー化して、検査Ｃ．Ｐ．Ｕを経由して保険Ｃ．Ｐ．Ｕに送り各サーバ保存先に保存収納する。
【００４８】図４  甲  用紙
自動読取機でフォルダー化されて、各々の情報が、各サーバに送信され記録保存される。
【００４９】受付時に自動読取機にて用紙（甲）の書類の数字読取自動電子化をおこないフォルダーとして作成する。
【００５０】図４  情報サーバへの流れを示す図
同時に印字されているＱＲコード番号と氏名をフォルダーのタイトル名として受付時まで保存し、その後、本人により記入された個人番号と社員番号と電話番号と郵便番号を数字読取機により読み取りそして、タイトルとして氏名と何れかの番号を１個以上使用する。
【００５１】図４  情報サーバへの流れを示す図
用紙（甲）と検体容器受理時点までは、氏名とＱＲコード番号を使用して本人確認を行う。受付受理後通常タイトル名は、氏名と個人番号を使用したタイトル名で過去情報サーバの個人情報と契約情報サーバ内フォルダーの前記タイトル名で２箇所記録収納する。
【００５２】ＱＲ番号は、検査当日の使用と（甲）用紙を送付した際の採尿容器の特定に必要な番号である。受付受理後は、氏名と個人番号或いは、事業所社員番号で検索閲覧編集時に検索標的のフォルダー名にする。
【００５３】４図  受付から検査サーバの流れを示す
受理にされた甲用紙と採尿器は、ここで、採尿器には、ＱＲコード（Ｂ）が貼り付けられて分尿そして前記（Ｂ）は、一時的に再検査用として検体保管場所に保管される。同じくＲＦＩＤタグ（１）は、保管場所に大量に集まる検体の個人特定検索標的として貼り付ける。分尿された検体（０１０２）は、検査サーバに送られ検査サーバで余病検査（０２２０）とシャーレ検査用（０２２２）に分尿される。
【００５４】余病検査  検査サーバの流れを示す図
分尿された余病検査用検体（０１０２）は、蛋白検査用試験紙と潜血反応試験紙に別々の試験紙に滴下して反応を観察し結果を記録し情報を検査Ｃ．Ｐ．Ｕを経由して分析サーバ内の余病分析に送る。
【００５５】図５  検査サーバの流れを示す図
シャーレ検査用に分尿された尿を１０倍に希釈して線虫検査用に準備する。
１０倍に希釈された検体をシャーレに滴下し線虫の行動を観察する。
【００５６】図  ５  検査サーバ内の情報の流れ
分尿され希釈された検体を滴下後は、定時に６枚の写真を撮影して検査サーバを経由して過去画像検査記録情報を各検体のフォルダーの６枚スライド画像記録場所に収納される。
【００６１】図５  検査サーバ内の流れ
検体（０１０２）が受付で分尿された後  再び検査部門で余病検査用（０２２０１）シャーレ検査用（０２１２１）に分尿（０１０２）され余病に分けられた尿は、試験紙に尿蛋白と尿潜血の有無を試験紙に滴下して測定し記録する。
【００６２】検査用に分尿された（０１０２）は、１０倍に希釈され希釈尿（０２２２）になる。
【００６３】検査シャーレには、緩衝液が入れられその中に線虫が４０〜５０匹泳いでいる。多角形シャーレの蓋には、読取り用のＱＲコードが張付けられシャーレシリアル番号も印字されている。また、情報の編集入力用にＲＦＩＤタグ（２）が張付けられている。
【００６４】撮影時は、上方より撮影し側方より照明を与え線虫に陰影を付ける。
撮影時には、シャーレに衝撃を与えないように注意する。全部で８枚の撮影をするが、最初の１枚は、線虫の位置確認用、２枚目は、シャーレ蓋に印字または、貼付けてある情報を撮影する。３枚目は、滴下した（０２２２）の撮影するために蓋を外し上方より撮影する。４枚目は、同様に上方から、５分後に撮影する。その後も１０分後、２０分、４０分後、６０分後に撮影する。
【００６５】画像の処理
撮影された画像を審判専門家の判定用に送り６枚の画像を端末のパソコンマウスで操作してスライド画像で時間系列どおりに閲覧を容易にできる様にしておく。
【００６６】図６  情報サーバ内の流れ
甲用紙（０１０）の読取には、専用の読取機を使用する。ＱＲ番号と数字読取の機能が付いている事が望ましい。
【００６７】新規被験者の場合には、一時的にＱＲ番号と氏名で格納し後ほど、氏名と個人番号でフォルダータイトルを作成し格納する。再検診時には、別のＱＲコード番号が、被験者の甲用紙（０１０）に与えられるので、今回のＱＲ番号（０４１）は、次回の検診時には、不要となりフォルダー内のページのタイトルになる。
【００６８】図  ６  情報サーバ内の流れ
受理された用紙（甲）の情報のタイトルを作成する為に一時的にＱＲコード番号と氏名でタイトル名を作り検索の標的にして受付時に使用する。自動読取機で取得した個人番号と氏名を正式なタイトル名にしてシステム全般の検索閲覧編集を可能にする。ＱＲコード番号と氏名で作成されたタイトル名は、個人番号と氏名タイトルフォルダーの中に収納保存して追加のページのタイトル名とする。過去個人情報と契約情報サーバの中に保存してある同じ個人番号と氏名のフォルダーを受付時に検索して見つけた場合は、フォルダーに追加情報として  ＱＲコード番号と氏名でページを追加作成する。
【００６９】フォルダー化に付いては、（００４７）（００５１）（００５７）で述べてあるので、格納場所について記述する。収納場所は、過去情報サーバ（０３３）内（過去個人情報０３３３）と契約情報サーバ（０３７）内個人フォルダーに収納してある。情報の検索は、個人番号と氏名でフォルダーに格納されている。
【００６９】被験者の個人情報は、氏名、個人番号、通知先（電子アドレス）、家族構成、社員番号、住所が上げられる。
【００７０】シャーレ情報（０２０２１）は、シャーレシリアル番号と製造工場情報と責任者の情報が、番号に収納されている。
【００７１】シャーレ本体（０２１２１）の情報には、前記情報のほかに番号に格納されている製造工場の住所、時期、成分の情報がある。これらの情報は、検査システム自体の模倣行為を防止する為とその被害規模を数字にて表現するときに裁判で必要になる。
【００７２】環境情報に付いては、実施日と実施施設と検査員保険員情報（氏名・人数・開始時間・終了時間・その他の事象）がある。
前記情報の収納場所は、過去情報サーバ（０３３）内の過去検査記録情報（０３３１）の中と契約情報サーバと通知サーバに格納される当日検診共通の情報となり各フォルダーに接続される。
【００７３】線虫情報は、出荷情報と誕生情報と出荷研究所の情報である。
出荷情報は、線虫の出動回数であり活躍回数である。誕生情報は、線虫の寿命が短い為と排卵時期の想定を予想しやすくする為である。出荷研究所は、実施施設との移動距離を推察する為である。これらの情報も前記検診当日共通情報になる。同じく各フォルダーに接続される。
【００７４】位置情報は、ＲＦＩＤタグ（１）（０５１）は、保管場所での位置を探索する際に使用する。
前記タグ（２）（０５２）は、シャーレに張付けられ、環境情報のコピー編集入力を行うことが出来る。
【００７５】通知サーバ（０３６）に接続される情報サーバ（０２１）からの情報は、読取機で読み取られた個人番号と氏名で作成されたフォルダー名の中に作成されている通知先情報を通知サーバで各フォルダーから抽出して格納管理する。
【００７６】通知先情報は、氏名、年齢、住所、電話番号、電子アドレス、希望通知先などです。
【００７７】図７  受付から検査・情報サーバ各Ｃ．Ｐ．Ｕを経由して通知・契約情報サーバ
受付で受理された検体（０１１）と申込用紙（甲）から生成される情報と全ての検体に共通の情報であるシャーレ情報と環境情報と線虫情報を全ての検体と接続し検索と閲覧時の資料にする。前記情報は、検査Ｃ．Ｐ．ＵからネットワークＹを経由し保険Ｃ．Ｐ．Ｕに接続され、通知サーバまでに分析サーバと判定モデルサーバと過去情報サーバと審判サーバと判定サーバから契約情報サーバを経由して通知サーバに至る。
【００７８】８図  受付から検査・情報サーバ各Ｃ．Ｐ．Ｕと経て通知サーバにいたる経路での情報処理
受付で提供された情報を細かく情報を細分化しそれぞれの必要な情報に格納し保管や撮影などのリアルタイムで発生する新しい情報の処理処置を流れに沿って示す。
【００７９】受付の受理で個人情報の氏名、個人番号、年齢、住所、電子アドレスなどは、最終的には、通知先情報として通知サーバに送られフォルダーのタイトル名を目標にして収納する。本人確認の優先タイトルは、個人番号が、一番と氏名が二番で社員番号が、三番になる。同姓同名の有無を事前に確認していると混乱は防げる。
【００８０】図９−１  申込用紙（甲）スキャンニング・フォルダー作成の流れ
自動読取機で読み取った情報は、氏名とＱＲ番号を検索タイトル名にして、一時的にフォルダーを作成する。作成したフォルダーに細分化して取り出した個人情報をフォルダー内の必要情報を埋め込む。
【００８１】図９−１  申込用紙（甲）スキャンニング・フォルダー作成の流れ
申込用紙（甲）を自動読取後前記用紙から取り出された項目は、氏名、個人情報、社員番号、年齢、性別、電話番号までは、前記読取機で取り出された項目です。用紙には、郵便番号から呼び出せる住所までの情報です。前記読取機で用紙（甲）から取り出せる項目です。住所の仔細に付いては、フォルダー格納後に職員により確認編集入力されます。
【００８２】読取機で細分化して取り出した情報を一時フォーマットコピーしてフォルダー内に用意してあるフォーマットに転写して直筆の氏名と数字読み取りで読取した個人番号と電話番号と年齢を指定の箇所に埋め込む。これで、個人番号＋氏名の基本的なタイトル名を与えることが出来る。指定のフォルダー内の箇所に年齢、郵便番号検索と住所（直筆転写）を埋め込む。
【００８３】フォルダータイトル名確定後は、このフォルダーに家族情報や検診検査情報や履歴回数や契約情報をこのフォルダーと関連して接続する。
【００８４】個人情報は、判定を行う際の審判サーバ専門家の判断をする時の過去情報（０３３）として一つの情報になり前期サーバ内の過去個人情報（０３３３）として格納されます。。
【００８５】家族構成情報も同時に検診検査用紙（甲）に記入してある場合は、被験者が、世帯を代表する場合は、代表者被験者個人番号と氏名のタイトル名の下に家族全体の検診状況を接続して置きます。
【００８６】個人情報として代表被験者家族のフォルダー名ができた後は、代表被験者をタイトル名の下に家族フォルダーを個人別の家族タイトル名で情報接続することが出来る。
【００８７】図９−２  フォルダータイトルの決定
申込用紙（甲）を読取機で情報を細分化して準備されたフォーマットに埋め込む方法で情報をフォルダーに埋め込んでいく。
【００８８】個人番号を軸において、氏名を次の選択にする。被験者が転職した後も、検査状況を把握でき加入保険の状況を知ることが出来る。
【００８９】家族情報を被験者のタイトル名に接続し、家族情報のタイトルの制作も個人番号と氏名で家族タイトル名とする。家族が就業を始めた時に、加入申請を出した時に、個人番号と氏名で加入の有無を確認できる。
【００９０】図  １０  尿（０１０２）の受付からの流れ
被験者が自宅で採取した尿検体（０１０２）を採尿容器（０１１）に入れて、ＱＲコード（Ｂ）（０４２）を採尿容器（０１１）側面に貼り付ける。
【００９１】図  １０  検体（尿）に関する流れ
採尿容器（０１１）を受付に検診検査申込用紙（甲）と一緒に提出し提出された採尿容器に受け付け職員は、保管所（０１１１）から再検査採取の探索を容易にするためにＲＦＩＤタグ（１）を前記用紙（甲）から剥して採尿容器（０１１）に貼付けます。
【００９２】採尿容器から余病検査（０２２０）と画像記録用検体（０２２２）に分尿後の採尿容器（０１１）は、尿容器保管場所（０１１１）で保管管理します。このとき採尿容器には、ＱＲ（Ｂ）とＲＦＩＤ（１）が貼り付けて在ります。
【００９３】余病用に分尿した尿（０１０２）には、ＱＲ（Ｄ）（０４４）が、貼り付けて在ります。そして、試験紙に滴下するために数滴採取され尿蛋白試験紙（０２２１１）と潜血試験紙（０２２１２）に数滴滴下されます。二つの試験紙の試験結果は、数分で色として試験紙に変化があり判定できます。結果は、分析サーバ（０３１）内の余病分析（０３１２）に送られます。
【００９４】線虫検査用に分尿された尿（０２２２）は、検査用に原液（０１０２）を１０倍に緩衝液で希釈され検査シャーレに１滴だけ滴下されます。
【００９５】前記画像記録情報（０２２２１０）は、分析サーバ忌回避画像（０３１１）として分析されます。
【００９６】滴下されたシャーレの線虫の行動画像撮影終了と共に線虫を漉して緩衝液と尿は、破棄される。
【００９７】図１１  保管場所と分尿
提出された採尿容器は、採尿容器から分尿され保管場所で再検査用として保管されます。分尿は、保管用と余病判定用と検査検体用としても分けられます。
【００９８】検体（０１０２）は、採尿器（０１１）から余病検査（０２２０１）用とシャーレ検査用（０２２２）と再検査時の検体用に保管場所で管理されます。採尿容器の残りが保管所で再検査の待機をします。
【００９９】判定の結果  不可判定の場合は、再検査になります。指示通りにＲＦＩＤタグ（１）を探索標的にして保管所で探索して、発見後採尿容器から検体（０１０２）を抜き取り１０倍に希釈して線虫の居るシャーレの中に滴下します。
【００１００】保管場所で保管された採尿容器は、判定が、不可判定  赤判定の再検査の場合は。保管所に保管してある採尿器の中から該当容器を探し出して再検査用に数滴採取します。採取した尿（０１０２）は、検査用検体として緩衝液で１０倍に希釈されて線虫の泳ぐシャーレの中に滴下されます。
【０１０１】図１２と図１３  判定と審判サーバと契約情報サーバの流れ
検査Ｃ．Ｐ．Ｕ（０２０）からネットワークＹを経由して送られてきた余病結果は、分析サーバ（０３１）の余病分析（０３１２）にかけられ判定モデルサーバ（０３１）の余病判定モデル（０３２２）と比較され審判サーバ（０３４）に送られて最終的な判定（０３４１）が下される。内容的には、試験紙の色見変化の数値に左右され、通常医薬用として開発された専門試験紙を使用する。
【０１０２】検査Ｃ．Ｐ．Ｕ（０２０）から送られてくる情報は、画像記録情報（０２２２１０）と個人情報（０２１１）とシャーレ情報（０２０２１）と環境情報（０２１２２）と線虫情報（０２１２３）が送られてくる。
【０１０３】画像記録（０２２２１０）は、分析サーバ（０３１）内の忌回避画像分析にかけられ移動と時間の関係を数値される。
【０１０４】判定モデルサーバの画像（０３２１）は、画像記録（０２２２１０）と比較検討され審判サーバ（０３４）に送られる。
【０１０５】審判サーバ（０３４）では、専門家（０３４３）の考察で判定モデルとスライド画像の時間移動記録を観察して判定を下す。
【０１０６】下された判定は、判定サーバ（０３５）に送られて判定記録として可判定（０３５１）と不可判定（０３５２）と赤判定（０３５３）に分けられる。
【０１０７】各判定に分けられた記録は、各契約情報サーバの各フォルダーページの中に記録として収納される。
【０１０８】可判定（０３５１）に収納された被験者情報は、再契約、継続契約  （０３５１０）として記録されたその後に契約情報サーバ（０３７）に送られる。同時に過去判定情報（０３３２）として過去情報サーバ（０３３）に送られる。
【０１０９】不可判定（０３５２）の被験者は、線虫による検査を本検診で二度行い二度とも不可判定のために再検査（線虫に依らない検査）を外部専属契約検査機関で行う。前記外部検査で問題ない場合は、継続契約として再契約を行う指示を契約情報サーバ（０３７）に送る。線虫による検査と外部検査機関の結果が出るまでの期間の契約は、継続中になる。また外部専属契約再検査機関での検査費用などは、全て保険検査会社で負担する。これらの記録（外部検査を含む）は、過去情報サーバ（０３３）に送られて、過去判定情報（０３３２）として記録される。
【０１１０】外部専属契約検査機関で行う検査で赤判定が出た場合は、直ちに契約の終了（０３５２２）と配当金の支払（０３５２３）手続きに移る指示を契約情報サーバ（０３７）に出す。同時に過去判定情報（０３３２）として過去情報サーバ（０３４）に送られ記録されることになる。
【０１１１】赤判定（０３５３）の被験者は、初めて線虫検査を受ける被験者が多く、直ちに通知を行い専門の検査機関で精密検査を行うように近隣の検査可能機関を紹介する。また、保険契約中の保険者の場合は、急を要することであるので、速やかな保険配当金の支払（０３５３２）と契約の終了（０３５３１）を通知するように契約情報サーバ（０３７）に指示を出す。契約者の短期間での可判定（０３５１）から赤判定（０３５３）に付いては、特記条項として記録し過去判定情報（０３３２）として過去情報サーバ（０３３）に送られる。
【０１１２】ネットワークＹを経由して保険サーバ（０３０）に届いた個人情報（０２１１）は、読取装置によりフォルダー化されて細分化されている氏名と年齢と個人番号と社員番号と郵便番号は、各サーバに送られている。契約情報サーバ（０３７）では、到着したフォルダーのタイトルをＱＲ番号（Ａ）から氏名と個人番号のタイトルで記録フォルダーとして作成してある。前記フォルダーに郵便番号から検索した番号のない住所で記録してあるので番地以降は、職員による入力となる。また通知先の情報は、通知サーバ（０３６）内の通知先として当日の判定結果通知時に入力することになる。その情報は、読取時に（甲）用紙のコピーとして氏名と個人番号タイトルの通知サーバ（０３６）の前記フォルダーに（甲）用紙コピーとして記録されている。
【０１１３】また  個人情報（氏名、年齢、個人番号、社員番号・証明書、住所、通知先、家族構成）は、ネットワークＹを経由して過去個人情報として記録される。契約者の場合は、二つ以上の記録の一致みる事が出来るので、本人確認を同時に行える。新規の契約者の場合は、氏名のほかに個人番号或いは、社員番号などの証明書が必要に成る。経由された個人情報は、過去情報サーバ（０３３）だけでなく通知サーバ（０３７）にも届いている。
【０１１４】通知サーバ（０３６）に届いた個人情報は、既に氏名と個人番号或いは、社員番号で作成されたフォルダー内に（甲）用紙のコピーとして記録してある。
【０１１５】通知情報サーバ（０３７）内には、判定サーバ（０３５）から届いた判定記録を個人記録の各々フォルダーにする必要性から通知サーバ（０３６）と同様のタイトル作成とフォルダーが読取機から情報を送信された時に作成されている。（甲）用紙（０１０）のコピーもフォルダーに記録されている。
【０１１６】環境情報（０２１２２）である実施日と実施施設と保険検査職員記録と実施検体数を過去画像検査記録情報（０３３１）の中に記録する。過去画像検査記録情報（０３３１）のタイトルは、実施施設名と実施日で作成して、環境情報（０２１２２）を前記記録情報にぶら提げることで関連性を持たせる。線虫情報（０２１２３）も同様に過去画像検査記録情報（０３３１）にぶら提げて関連性を持たせて記録の統一を図る。
【０１１７】線虫情報（０２１２３）は、誕生日数と出荷日と出荷研究所の情報を記録する。この記録は、過去画像検査記録情報（０３３１）として接続させておくことで関連性を持たせる。
【０１１８】図１３  契約情報サーバ（０３７）から通知サーバ（０３６）の流れ
判定サーバ（０３５）から送られてきた被験者各々の情報は、個人番号と氏名で作成されたフォルダーに収納されて、各検査検診日ごとに記録を増やしていくフォルダーにする。判定サーバ（０３５）から送られた被験者判定情報の可判定は、継続契約となるので、通知サーバ（０３６）からは、登録された通知先に連絡する。当日の連絡が取れない時には、後日通知送付の手続きを行う。
【０１１９】不可判定（０３５２）の場合は、二通りの判定の意味がある。一つは、継続ともう一つは、契約終了である。
継続の場合は、線虫での判定が二度とも不可判定ながら外部専属契約検査機関の線虫によらない検査で問題ない場合は、継続契約になるが、検査で癌の発見に至った場合は、契約の終了（０３５２２）と同時に所定の契約の保険配当金を支払う（０３５２３）手続きを行う。線虫検査と検査機関判定の間は、継続契約になる。検査機関の検査費用は、保険検査会社の負担とする。
【０１２０】契約情報サーバ（０３７）には、契約者全ての情報が収納されている。契約情報サーバ（０３７）から通知サーバ（０３６）に送られるのは判定結果だけである。通知サーバ（０３６）から送信される内容は、判定結果を通知サーバ（０３６）から被験者に通知するだけである。
【０１２１】図１４  反応速度と忌回避反応数に基づくリスク評価モデル
図は、検体（０１０２）滴下後６０分経過した時の線虫の位置である。可判定（０３５１）の忌回避行動の線虫は、三角形の先端部に逃げ込み  そして、シャーレ中央窪み周辺には居ない。また、赤判定（０３５３）の線虫の位置も検体付近に集まって三角形の頂点には居ない。しかし  不可判定（０３５２）は、纏まりのない線虫の位置取りをしているのが判る。
実験から推測されるのは、超早期癌への反応の可能性もあるし又は揮発物質に反応したノイズを拾った行動なのか不明であるが、こちらのモデルは、不可材料である。
【０１２２】図１５  可判定の時間の線虫の位置と走行性を示したモデル図である。
滴下後直ぐに走行を始めて、三角の頂点つまり検体から一番遠い所へと移動する。
【０１２３】図１６  不可判定の時間の経過と走行性を示したモデル図である
誘引でも忌避でもない走行性のパターン
【０１２３】図１７  不可判定の同じく時間の推移と走行位置を示したモデル図である
【０１２４】図１８  不可判定モデルの図である。
【０１２５】図１９  赤判定を示したモデル図である。
【０１２６】図２０  癌リスク評価グラフ
９０％の忌回避行動の見られるシャーレの被験者は、可判定（０３５１）で保険加入資格者である。他は。すべて保険に加入することは不可である。
【０１２７】図２１  癌に罹患していない尿検査の流れ
可判定（０３５１）の被験者の場合を示す
検査サーバ（０２２）から分尿されて、緩衝液で１０倍に希釈された検体は、シャーレに滴下され線虫は三角形の先端に全て逃げ込んだ。
【０１２８】図２２  癌に罹患している疑いのある場合
不可或いは赤判定が出て再検査になった場合の流れを示す
線虫は、纏まりのない動きと走行を行い不可判定が出て再検査になった検体は、最初の分尿された採尿器から採取して再度１０倍に希釈した検体を新しく用意した線虫とシャーレで再度同様の検査を行う。
不可判定後  採尿器保管場所に再検査指示を出しＲＦＩＤタグ（１）の位置を保管所から探索して分尿そして希釈しシャーレに滴下して通常の検査を行う。
【０１２９】図２３    ６段階  年齢別検診回数
図の通りに６段階に年齢層を分離する
【０１３０】図２４パソコン端末Ｐ１，Ｐ２，Ｐ３，Ｐ４，Ｐ５の位置と外部端末からのアクセス
検査受付（０２０１）のパソコン端末Ｐ１は、受付にあり社員番号と管理者番号で情報に編集入力できる。端末Ｐ２ｈａ，情報サーバ周辺にあり同じく社員番号と管理者番号で編集と入力画家のである。検査サーバ周辺Ｐ３保険Ｃ，Ｐ，Ｕ付近Ｐ５  保険検査会社内Ｐ４が設置されている。Ｐ１からＰ３までとＰ５ネットワークＹでリンクされている。Ｐ４の端末パソコンは、保険検査会社内の端末である。
【０１３１】図２５    検診検査申込用紙  判定の表示場所と記入事項である。
【０１３２】図２４−１各年齢人口に対する年齢別癌罹患率と人口  その保険料と配当金の日本、中国、アメリカ、インドの比較と保険規模  １０万人の人口に対しての癌の罹患率を基本的な数字にしてある。そして保険リスクを挙げた数字で計算してある。
【０１３３】図２４−２  日本と中国の潜在的保険加入者の比較と事業化想定のリスクである。
【０１３４】図２４−３アメリカ合衆国とインドの潜在的保険加入者の比較と事業化のリスクである。
【０１３５】本発明は、明記した実施形態に限定されるものでなく色々の状況や環境の変化に合わせた保険システムをとる事が出来る。基本的な線虫とシャーレと集団検診の枠からは、出ないが、他の形態は、状況に合わせて変化する。例えば保険掛け金や  配当金  分配年齢などである。
【産業上の利用可能性】
【０１３６】この様に本発明は、線虫を用いて癌に罹患していない被験者を選別して保険加入者を増やし低額の掛け金で高額の医療治療費の補助を行える共済的な保険システムを行うことで、産業的にも又社会生活的にも有用で利用可能性が非常に高いシステムである。
【符号の説明】
【０１３７】０１          被験者
０１０        検査検診申込用紙  甲
０１０１１    前記  甲  用紙スキャンフォルダー
０１０２      検体（原尿）
０１１        採尿容器  ＱＲコード（Ａ）印字（Ｂ）（Ｃ）（Ｄ）（貼付用）］［ＲＦＩＤタグ（１）（２）貼付用
０１１１      採尿器保管場所
０２０        検査Ｃ．Ｐ．Ｕ
０２０１      検査受付
０２１        情報サーバ
０２１１      個人情報
０２１２０シャーレ情報  シリアル番号印字・ＱＲコードＣ（０４３）貼付・ＲＦＩＤ（２）（０５２）貼付
０２１２１    シャーレ本体
０２１２２    環境情報
０２１２３    線虫情報
０２１２４    位置情報
０２２        検査サーバ
０２２０１    余病検査
０２２１２    尿蛋白
０２２１３    尿潜血
０２２２      希釈尿（検体）
０２２２１０  線虫忌回避画像記録
０２２２１１  検査シャーレ蓋撮影
０２２２１２  検査開始線虫位置画像撮影
０２２２１３  希釈尿滴下２分後忌回避画像撮影
０２２２１４        〃  ５分後    〃
０２２２１５        〃  １０分後  〃
０２２２１６        〃  ２０分後  〃
０２２２１７        〃  ４０分後  〃
０２２２１８        〃  ６０分後  〃
０３０        保険Ｃ．Ｐ．Ｕ
０３１        分析サーバ
０３１１      忌回避画像分析
０３１２      余病分析
０３２        判定モデル
０３２１      画像判定モデル
０３２２      余病判定モデル
０３３        過去情報サーバ
０３３１      過去検査記録情報
０３３２      過去判定情報
０３３３      過去個人情報
０３４        審判サーバ
０３４１      余病判定
０３４２      画像判定
０３４３      専門家判定
０３５        判定サーバ
０３５１      可  判定
０３５１０    継続契約
０３５２      不可  判定
０３５２１    不可  精密先検査
０３５２２    契約終了
０３５２３    配当金支払
０３５３      赤  判定
０３５３１    契約終了・精密検査
０３５３２    配当金支払
０３６        契約情報サーバ
０３７        通知サーバ
０４１        ＱＲコード（Ａ）
０４２        ＱＲコード（Ｂ）
０４３        ＱＲコード（Ｃ）
０４４        ＱＲコード（Ｄ）
０５１        ＲＦＩＤタグ（１）
０５２        ＲＦＩＤタグ（２）
ネットワーク  Ｙ
Ｚ            保険検査会社
（略語の説明）
（ＱＲコード）（Ｑｕｉｃｋ  Ｒｅｓｐｏｎｓｅ）（デンソーウエーブの登録商標です。）
（ＲＦＩＤタグ）（Ｒａｄｉｏ  Ｆｒｅｑｕｅｎｃｙ  Ｉｄｅｎｔｉｆｉｅｒ）
（採尿器）ピーポール採尿器（株式会社アトレータの登録商標です。）
（Ｃ．Ｐ．Ｕ）Ｃｅｎｔｒａｌ  Ｐｒｏｃｅｓｓｉｎｇ  Ｕｎｉｔ
（Ｐ１）Ｐｅｒｓｏｎａｌ  ｃｏｍｐｕｔｅｒ  １
【図１】
2020095654.tif 000003
【図２】
2020095654.tif 000004
【図３】
2020095654.tif 000005
【図４】
2020095654.tif 000006
【図５】
2020095654.tif 000007
【図６】
2020095654.tif 000008
【図７】
2020095654.tif 000009
【図８】
2020095654.tif 000010
【図９−１】
2020095654.tif 000011
【図９−２】
2020095654.tif 000012
【図１０】
2020095654.tif 000013
【図１１】
2020095654.tif 000014
【図１２】
2020095654.tif 000015
【図１３】
2020095654.tif 000016
【図１４】
2020095654.tif 000017
【図１５】
2020095654.tif 000018
【図１６−１】
2020095654.tif 000019
【図１６−２】
2020095654.tif 000020
【図１６−３】
2020095654.tif 000021
【図１７】
2020095654.tif 000022
【図１８】
2020095654.tif 000023
【図１９】
2020095654.tif 000024
【図２０】
2020095654.tif 000025
【図２１】
2020095654.tif 000026
【図２２】
2020095654.tif 000027
【図２３】
2020095654.tif 000028
【図２４−１】
2020095654.tif 000029
【図２４−２】
2020095654.tif 000030
【図２４−３】
2020095654.tif 000031